(57)【要約】  家具（４）であって、家具（４）のフラップ（３）のための調節アーム構造部（２）を備えており、調節アーム構造部（２）は、フラップ（３）を動かすためのレバー構造部（５）と、フラップ（３）をロックするために閉方向（ＳＲ）に作用する主スプリング（７）とを含んでおり、家具（４）は、閉方向（ＳＲ）にフラップ（３）押し込むことでフラップ（３）を開方向（ＯＲ）に放出するために自身または調節アーム構造部（２）に取り付けられた放出装置（６）をさらに備えており、放出装置（６）の放出動作を支援するために、開方向（ＯＲ）に作用し、放出装置（６）とは、別体である少なくとも１体の支援スプリング（１２）を備えることを特徴としており、少なくとも押し込まれた閉位置（ＵＳ）において、フラップ（３）に対して開方向（ＯＲ）に作用する放出装置（６）及び支援スプリング（１２）のスプリングの付勢力（Ａ、Ｕ）は、共同では閉方向（ＳＲ）にフラップ（３）に作用する主スプリング（７）のロック力（Ｚ）よりも大きい。【選択図】図３
2013502517.tif 000002
【特許請求の範囲】
【請求項１】
家具（４）であって、家具（４）のフラップ（３）のための調節アーム構造部（２）を備えており、該調節アーム構造部（２）は、フラップ（３）を動かすためのレバー構造部（５）と、該フラップ（３）をロックするために閉方向（ＳＲ）に作用する主スプリング（７）とを含んでおり、本家具（４）は、閉方向（ＳＲ）に前記フラップ（３）押し込むことで該フラップ（３）を開方向（ＯＲ）に放出するために自身または前記調節アーム構造部（２）に取り付けられた放出装置（６）をさらに備えており、
前記放出装置（６）の放出動作を支援するために、開方向（ＯＲ）に作用し、前記放出装置（６）とは、別体である少なくとも１体の支援スプリング（１２）を備えることを特徴としており、
少なくとも押し込まれた閉位置（ＵＳ）において、前記フラップ（３）に対して開方向（ＯＲ）に作用する前記放出装置（６）及び前記支援スプリング（１２）のスプリングの付勢力（Ａ、Ｕ）は、共同では閉方向（ＳＲ）に前記フラップ（３）に作用する前記主スプリング（７）の前記ロック力（Ｚ）よりも大きくなることを特徴とする家具。
【請求項２】
押し込まれた閉位置（ＵＳ）で開方向（ＯＲ）に作用する前記放出装置（６）の前記スプリングの付勢力（Ａ）は、５ニュートン（Ｎ）から２０ニュートン（Ｎ）であり、好適には、１２ニュートン（Ｎ）から１５ニュートン（Ｎ）であることを特徴とする請求項１記載の家具。
【請求項３】
前記支援スプリング（１２）は、ハウジング（２５）内に設置され、該支援スプリング（１２）によって導かれるプッシャ（２４）を介在させて前記レバー構造部（５）のレバー（１０）に作用することを特徴とする請求項１または２記載の家具。
【請求項４】
前記支援スプリング（１２）、前記ハウジング（２５）及び前記プッシャ（２４）は、共同で放出−支援装置（８）を構成し、該放出−支援装置（８）は、前記レバー構造部（５）に連動状態で取り付けられていることを特徴とする請求項３記載の家具。
【請求項５】
前記放出−支援装置（８）は、前記レバー構造部（５）のレバー（９）に取り付けられ、該レバー構造部（５）の別レバー（１０）に作用することを特徴とする請求項４記載の家具。
【請求項６】
前記支援スプリング（１２）は、閉時に前記レバー構造部（５）のレバー（１０）によって引っ張ることが可能であり、該支援スプリング（１２）は、前記フラップ（３）の閉動作を緩衝することもできることを特徴とする請求項１から５のいずれかに記載の家具。
【請求項７】
家具（４）のフラップ（３）のための調節アーム構造部（２）であって、
Ｉ．フラップ（３）を動かすレバー構造部（５）と、
ＩＩ．該レバー構造部（５）を介在させて前記フラップに対して閉方向（ＳＲ）に作用する主スプリングと、
ＩＩＩ．支援スプリング（１２）を介在させて付勢され、開方向（ＯＲ）に作用し、前記レバー構造部（５）のレバー（１０）に接しているか接することができるプッシャ（２４）と、を備えており、
前記家具（４）または前記調節アーム構造部（２）に取り付けられた放出装置（６）を支援するために前記支援スプリング（１２）のスプリング付勢力（Ｕ）のみが前記プッシャ（２４）に作用することを特徴とする調節アーム構造部。
【請求項８】
前記プッシャ（２４）、前記支援スプリング（１２）及びハウジング（２５）は、共同で放出−支援装置（８）を構成し、該放出−支援装置（８）は、前記レバー構造部（５）のレバー（９）に取り付けられ、前記プッシャ（２４）を介在させて前記レバー構造部（５）の他のレバー（１０）に作用することを特徴とする請求項７記載の調節アーム構造部。
【請求項９】
家具（４）のフラップ（３）のための第１タイプの調節アーム構造部（１）と第２タイプの調節アーム構造部（２）とで成るセットであって、それぞれの調節アーム構造部（１、２）は、
Ｉ．フラップ（３）を動かすレバー構造部（５）と、
ＩＩ．前記フラップをロックするために閉方向（ＳＲ）に作用する主スプリング（７）と、を含んでおり、
前記第１タイプの調節アーム構造部（１）は、
ＩＩＩ．前記フラップ（３）の閉動作を緩衝する緩衝装置（１３）をさらに備えており、
前記第２タイプの調節アーム構造部（２）は、前記第１タイプの調節アーム構造部（１）の前記緩衝装置（１３）の代用として少なくとも１つの支援スプリング（１２）を含んだ放出−支援装置（８）を備えており、該放出−支援装置（８）は、開方向（ＯＲ）に作用してプッシャ（２４）を付勢し、該プッシャ（２４）は、前記レバー構造部（５）のレバー（１０）に接しているか接することができ、前記家具（４）または前記調節アーム構造部（１、２）の一方に取り付けられている放出装置（６）を支援するために前記支援スプリング（１２）のスプリング付勢力（Ｕ）のみが前記プッシャ（２４）に作用することを特徴とするセット。
【請求項１０】
前記プッシャ（２４）と前記支援スプリング（１２）は、前記放出−支援装置（８）のハウジング（２５）内に設置されているか、ガイドされていることを特徴とする請求項９記載のセット。
【請求項１１】
前記第１タイプの調節アーム構造部（１）の前記緩衝装置（１３）と、前記第２タイプの調節アーム構造部（２）の前記放出−支援装置（８）は、実質的に同じである全体寸法を有していることを特徴とする請求項９または１０に記載のセット。
【請求項１２】
請求項７または８に記載の調節アーム構造部を備えていることを特徴とする家具。
【発明の詳細な説明】
【技術分野】
【０００１】
本発明は、家具フラップ（引上げ扉）のための調節アーム構造部を備えた家具に関する。
詳しくは、この調節アーム構造部は、フラップを動かすレバー構造部と、フラップをロックするように閉方向に作用する主スプリングと、フラップを閉方向に押し込むことでフラップを開方向に放出させるよう、家具または調節アーム構造部に取り付けられた放出装置とを含んでいる。
さらに、本発明は、フラップを動かすレバー構造部と、そのレバー構造部を介し、フラップに対して閉方向に作用する主スプリングと、開方向に作用するよう支持スプリングを介して荷重（付勢）され、レバー構造部のレバーに接して設置されるプッシャとを備えた家具フラップ用の調節アーム構造部、並びに家具フラップを動かすための２つの異なるタイプの調節アーム構造部のセットに関する。
【背景技術】
【０００２】
調節アーム構造部（上方折畳みブラケット）を備えたそのような家具は、従来から存在している。それらは、ユーザの上方折畳み動作または上昇動作を簡単にするものである。フラップまたは家具の一部の開動作を支援するため、いわゆるノックオン（ＴＩＰ−ＯＮ）機構が利用されてきた。例えば、このノックオン機構は、ボールペン原理で機能する。すなわちフラップを閉じる際に放出部が閉位置にまで押し込まれる。この位置で放出器は、ロックされ（例えばカージオイド）、スプリングで付勢されている放出器は、閉位置の方向に押し込まれることでロック解除される。すなわち閉方向にプレスされてロック解除される。すなわちそのスプリング付勢力が効果を発揮し、放出装置の放出器を開方向に動かす。その結果、押し付けられているフラップまたは家具の一部が開く。
【０００３】
この作用原理は、ハンドル部を備えていない重い抽斗や家具扉において非常に便利である。なぜなら比較的に短い自動の開き動作距離の移動後にユーザによる追加支援機構を介さずに完全な開機能が手動で実行できるからである。
【０００４】
引き出し型の抽斗や扉の場合とは異なり、この比較的に短い開動作距離（２〜３ｃｍ）は、手動による家具フラップの開動作を終了させるには不充分である。なぜなら、このような家具の上方折畳み部は、しばしばアクセスが困難であり、容易に手が届かないからである。従って、上方折畳み動作は、主スプリング及びレバー構造部によって当初の特定な開き角度から支援され、あるいはニュートラルな動きが可能になる。
【０００５】
比較的に小型で軽量であるフラップの場合には、主スプリングのロック力は、放出装置のみによって克服（打ち克つこと）が可能である。しかしながら、もし大型で重いフラップであるか、または強力な主スプリングが使用されていると、標準的にはフラップの下方領域に対して約１０ニュートンから１７ニュートンの力で作用するような放出装置は、フラップに作用する主スプリングのロック力を克服できない。
【発明の概要】
【発明が解決しようとする課題】
【０００６】
従って、本発明の目的は、標準型放出装置が利用されている場合に、重くて大型であるフラップであっても開くことができる、従来のものより改良されている家具または調節アーム構造部を提供することである。
【課題を解決するための手段】
【０００７】
この目的は、放出装置の放出動作を援助するための、放出装置とは別に、開方向に作用する少なくとも１つの支援スプリングの利用によって達成される。すなわち、少なくとも押し込まれた閉位置において、フラップに対して開方向に作用する放出装置及び支援スプリングのスプリング付勢力（好適には下方フラップ部にて測定）は共同で、閉方向でフラップに作用する主スプリングのロック力（好適には下方フラップ部にて測定）よりも大きい。すなわち、このことは、支援スプリングが主スプリングのロック力を相殺あるいは減少させることを意味する。これで比較的に小さいロック力が標準型放出装置によって克服でき、支援スプリングは、放出装置と共同で十分な作用力／トルクをフラップに適用し、主スプリングのロック力を克服させる。これら２種類の開フラップ力は、共同で、少なくとも約１０°から４０°の開角度、好適には２０°から３０°の開角度まではこの領域に作用するロック力に勝るべきである。
【０００８】
好適には放出装置は、家具本体の下方領域に取り付けられ、そこで（向上した“てこ（レバー）効果”が発揮されるように）フラップの下方領域に作用するので、これら全ての作用力値は、フラップの下方領域への影響に関係する。特に作用力値は、常に前方のフラップの下側で測定される。
【０００９】
従って、これらがレバーを介して運動学的に増強され、あるいは変更されるため、個別のスプリング（主スプリング、放出スプリング、支援スプリング）の純粋な作用力に関しては説明がない。よって、好適な実施態様では、フラップに作用する作用力は、下方フラップ領域、好適には前方の下側で測定される。
【００１０】
一般的には、本明細書で解説する少なくとも１つのスプリングが、スプリングとしてではなく、任意タイプの作用力発生要素または弾性要素（液圧装置、モータ、弾性相殺要素）として設計されることを排除するものではない。従って一般的には任意の作用力保存装置が利用できる。好適には閉動作中にこれらに機械的に付勢エネルギーが蓄積される。
【００１１】
一好適実施態様に従って、開方向に作用する放出装置のスプリング付勢力は、押し込み閉位置において５ニュートンから２０ニュートンであり、好適には１０ニュートンから１７ニュートンであり、特に好適には１２ニュートンから１５ニュートンである。上方折り畳み戸棚／家具での利用においては、比較的に小さな放出装置が有利である。さもないと大きなスペースが必要となり、放出時に放出力過多となるであろう。
【００１２】
特に好適には、支援スプリングは、ハウジング内に配置され、支援スプリングによって導かれるプッシャを介してレバー構造部のレバーに作用する。よって特定レバーへの作用力伝達を最良化することができる。
【００１３】
本発明の一好適実施態様は、支援スプリング、ハウジング及びプッシャに共同で放出−支援装置を形成させる。この装置は、レバー構造部に取り付けられ、連動する。この放出−支援装置は、取り外し及び取り付けが容易な１体のコンポーネントを形成する。すなわちレバー構造部への放出−支援装置の直接的な配置によって、その装置をレバー構造部のレバー上で“浮遊状態”にて設置させる。よって、それはレバー構造部と連動し、主スプリングのロック力に対抗して放出装置よりも長い開扉距離で作用することができる。これは、一好適実施態様において、レバー構造部の１つのレバーに取り付けられ、レバー構造部の別のレバーに作用する放出−支援装置によって達成される。
【００１４】
好適には、閉扉時にレバー構造部のレバーによって支援スプリングを付勢し、支援スプリングによってフラップの閉動作を緩衝させることもできる。
【００１５】
一般的には、レバー構造部のレバーに作用する支援スプリングを押し込みによってロック解除することを排除するものではない。放出装置と支援スプリングが別々であることによって開方向に作用する２つのスプリングは、家具の異なる点または調節アーム構造部に作用する。
【００１６】
さらなる好適実施態様では、開方向に作用する支援スプリングの付勢力を、閉方向に作用する主スプリングのロック力を相殺することによって放出装置の開方向に作用する放出装置の作用力よりも小さな値にする。よって開方向に浮遊状態で設置されている支援構造部は、ロック解除後に放出装置がフラップを支援して開くように設計されている。
【００１７】
さらに、本発明は、フラップを動かすためのレバー構造部と、レバー構造部を介して閉方向でフラップに作用する主スプリングと、開方向に作用する支援スプリングを介して付勢され、レバー構造部のレバーに接触して設置され、あるいは設置可能なプッシャとを備えて成る家具フラップ用の調節アーム構造部に関する。
【００１８】
一般的に、フラップを動かすレバー構造部と、フラップをロックするために閉方向に作用する主スプリングと、フラップの閉動作を緩衝する緩衝装置とを備えた家具フラップを持ち上げる調節アーム構造部は従来から知られている。よって、スムーズであり、容易に移動するフラップの閉動作、特に最後の閉段階での閉動作が騒音を伴わずに達成される。このような緩衝装置では、開方向に作用する比較的に小型のスプリングが設置されているが、フラップの開動作後にプッシャを押し返すように機能するのみである。一般的には、閉動作中にプッシャは、緩衝媒体によって急速閉動作を防止される。これに反して、開動作時には、このプッシャは、レバーやフラップに影響を及ぼさない。プッシャは、フラップの開動作を援助したり、フラップの開動作に影響を及ぼしたりすることができず、補助スプリングによって単に開方向に動くだけである。
【００１９】
従って、このプッシャは、補助スプリングよりも緩衝媒体の作用力によって大きな影響を受ける。このことは、フラップを開く際にプッシャがレバーの動きと歩調を合わせることが全くできないことを意味する。なぜなら影響を受けないレバーの放出動作が緩衝媒体により妨害されるからである。
【００２０】
よって、本発明の目的は、従来技術と比較して改善された調節アームの開動作のための支援スプリングを提供することにある。特に、支援スプリングがプッシャを付勢し、最大開位置にまでプッシャが常にレバーに押し付けられているようにしている。
【００２１】
この目的は、家具または調節アーム構造部に取り付けられた放出装置を支援する支援スプリングの付勢力のみをプッシャに対して作用させることで達成される。よって支援スプリングは、緩衝媒体の影響を一切受けずにレバー構造部のレバーに対して直接的に作用でき、開動作を支援することができる。
【００２２】
１つの好適実施態様によれば、プッシャ、支援スプリング及びハウジングは共同で放出−支援装置を形成し、その装置は、レバー構造部のレバーに取り付けられ、レバー構造部の別のレバーにプッシャを介して作用する。好適には、支援スプリングの純粋な作用力は、主スプリングのロック力を克服しない。このため、追加のノックオン装置／放出装置の調節アーム構造部あるいは家具への取り付けが必要である。一般的には、複数の支援スプリングが調節アーム構造部の同じ単領域または別々の領域に配置されることを排除するものではない。
【００２３】
さらに、本発明は、家具フラップのための第１タイプ及び第２タイプの調節アーム構造部で成るセットにも関する。ここでは、それぞれの調節アーム構造部は、フラップを動作させるレバー構造部と、フラップをロックするために閉方向に作用する主スプリングとを含む。ここで第１タイプの調節アーム構造部は、フラップの閉動作を緩衝する緩衝装置を追加的に有する。
【００２４】
この追加的な発明の目的は、これら２タイプの調節アーム構造部のための単純な設置方法及び改善された単純な製造方法を提供することである。
【００２５】
この目的は、第１タイプの調節アーム構造部の緩衝装置の代わりに、第２タイプの調節アーム構造部が、開方向に作用し、家具または調節アーム構造部の一方に取り付けられた放出装置を支援するためにプッシャを付勢する少なくとも１つの支援スプリングを含んだ放出−支援装置を備えることで達成される。ここでプッシャは、レバー構造部のレバーに押し付けられ、あるいは押し付けが可能であり、支援スプリングの付勢力だけがプッシャに作用する。よって、ほとんどの部材が同一であり、緩衝装置の代わりに放出−支援装置のみが実質的に同じ箇所に配置されている２つの製品を製造業者に製造させることが防止される。
【００２６】
このため、この本発明の好適な実施態様では、プッシャと支援スプリングが放出−支援装置のハウジング内に設置または導かれるようにしている。この設計形態の特定の利点は、それら両タイプの調節アーム構造部がほぼ同一であり、製造時に緩衝装置の代わりに支援スプリングがレバー構造部の同一レバーに取り付けられ、少なくとも１つの放出装置が調節アーム構造部自体に、または家具に提供されることである。この点で、好適には第１タイプの調節アーム構造部の緩衝装置と第２タイプの調節アーム構造部の支援スプリングは、実質的に同じサイズである。よって両タイプの残ったレバー構造部または調節アーム構造部の全運動特性は、実質的に変わらず、フラップの軽快な開閉が保証される。従って２つのタイプの調節アーム構造部の製造及び設置の効率は実質的に改善される。
【００２７】
本発明の他の目的は、請求項７または８に記載の調節アーム構造部を備えた家具を提供することである。
【００２８】
本発明のさらなる詳細及び利点は、本発明の実施例を図示する添付の図面を活用して以下においてさらに詳細に解説されている。
【図面の簡単な説明】
【００２９】
【図１】図１は、タイプ２の家具調節アーム構造部の開動作を順番に示す断面図である。
【図２】図２は、タイプ２の家具調節アーム構造部の開動作を順番に示す断面図である。
【図３】図３は、タイプ２の家具調節アーム構造部の開動作を順番に示す断面図である。
【図４】図４は、タイプ２の家具調節アーム構造部の開動作を順番に示す断面図である。
【図５】図５は、タイプ２の家具調節アーム構造部の開動作を順番に示す断面図である。
【図６】図６は、開いた状態の調節アーム構造部を図示する。
【図７】図７は、家具フラップで測定された個別スプリングの作用力を示す。
【図８】図８は、家具フラップで測定された個別スプリングの作用力を示す。
【図９】図９は、家具フラップで測定された個別スプリングの作用力を示す。
【図１０】図１０は、家具フラップで測定された個別スプリングの作用力を示す。
【図１１】図１１は、家具フラップで測定された個別スプリングの作用力を示す。
【図１２】図１２は、タイプ１の調節アーム構造部の閉動作を示す。
【図１３】図１３は、タイプ１の調節アーム構造部の閉動作を示す。
【図１４】図１４は、タイプ２の調節アーム構造部の開動作を示す。
【図１５】図１５は、タイプ２の調節アーム構造部の開動作を示す。
【図１６】図１６は、別例のレバー構造を図示する。
【図１７】図１７は、別例のレバー構造を図示する。
【発明を実施するための形態】
【００３０】
図１は、閉じた家具フラップ３と家具本体１４とを備えた家具４を図示する。タイプ２の調節アーム構造部は、固定プレートまたはガイドプレート２６で家具本体１４の側壁に取り付けられている。このタイプ２の調節アーム構造部は、複数の連結部を介して固定プレート２６に接続されたレバー構造部５を有する。このレバー構造部５は、互いに機械構造的または運動学的に接続された８本のレバー９、１０、１７、１８、１９、２０、２１及び２２により実質的に構成されている。レバー構造部５を通じて、レバー構造部５の全体及びフラップブラケット２７を介して主スプリング７（スプリング構造部）によりロック力が発揮される。一方、主スプリング７は、固定プレート２６に接続されている。すなわち家具本体１４に固定されており、レバー構造部５のレバーまたは連結部３３に接続されている。図１において家具フラップ３は閉位置にある。すなわち開角度α０は、０°である。ここでは、図示しないが先の閉扉によって、家具本体１４に提供、あるいは押し付けられている放出装置６は、フラップ３によって閉位置ＳＳにある。これは、例えばボールペン原理で機能する。
図１では、放出装置６のプッシャ６ａ（ここでは図示せず）がカージオイドカム１５のカージオイドピン１６を介して導かれる。この閉位置ＳＳでは、カージオイドピン１６は、カージオイドカム１５のロック位置に残る。さらにレバー構造部５のレバー９に取り付けられた放出−支援装置８も図示されている。
【００３１】
図２では、家具フラップ３が、ユーザの指による閉方向ＳＲの押し込みによってどのように押し込み閉位置ＵＳになるかが図示されている。家具フラップ３は、開角度約−０．５°に対応する開角度α-１となる。従って家具フラップ３は、カージオイドピン１６にプッシャ６ａを介して作用し、カージオイドカム１５のロック位置を離れ、放出装置６の付勢されたプッシャ６ａは解放され、あるいは保持されなくなり、フラップ３に対して開方向ＯＲに作用する作用力Ａを利用あるいは発揮することができる。
【００３２】
このことは図３で明確に示されている。そこではプッシャ６ａが家具フラップ３を開位置ＯＳ１にしている。この開位置ＯＳ１で家具フラップ３の開角度α１は、７°である（この角度は、他のサイズのフラップでは異なる）。
図３では、支援スプリング１２により付勢されているプッシャ２４を介してレバー９に可動に連結されている放出−支援装置８がどのようにレバー１０に対して作用し、放出装置６ａの開動作をいかに支援するかが図示されている。放出装置６のフラップ３と支援スプリング８に作用する２つの作用力Ａ及びＵは、主スプリング７のロック力Ｚよりも大きい。
【００３３】
図４は、主スプリングの開位置ＯＳ１と開位置ＯＳ２との間で既に弱まっているロック力Ｚに打ち克つことで、（実質的にスプリング１２、ハウジング２５及びプッシャ２４で成る）放出−支援装置８が、図３で示す開位置ＯＳ１から図４で示す開置ＯＳ２に家具フラップ３をどのように移動するかを図示する。開位置ＯＳ２で開角度α２は３０°である（この角度はフラップサイズにより定まり、実際には、これより大きいか小さい）。主スプリング７の解放と、レバー構造部５の個別レバーのレバー作用を通し、ほぼこの開位置ＯＳ２から始まって非常に小さなロッキング力Ｚのみが家具フラップ３に対して作用している（図７参照）。対応する均衡力を介し、フラップの重量と主スプリングの位置を考慮して家具フラップ３は、任意の所望位置であるこの位置からニュートラルに保たれる。この開位置ＯＳ２から、支援スプリング８の開方向ＯＲに作用する全作用力は、レバー構造部５のレバー１０に伝達され、さらにフラップ３に伝達される。
【００３４】
主スプリング７の付勢力の設定は、スプリング調節機構２３によって調節できる。調節ネジ部２８に沿った保持要素２９の調節変位（図４及び図５参照）によって、主スプリング７の付勢力Ｚは、それぞれの条件（フラップ３の重量、レバー構造部５の運動的移動、等々）に合わせることができる。
【００３５】
図５は、最大開位置ＯＳ３にある家具４の家具フラップ３を示す。ここでは、開角度α３は、１００°である。プッシャ６ａを付勢する放出装置６の放出スプリング１１が概略的に図示されている。さらに、３点の関節部３０、３１、３２が図示されており、それらを介してレバー構造部５は、固定プレート２６に限定回転式に取り付けられている。
【００３６】
開位置ＯＳ３にあるタイプ１またはタイプ２の調節アーム構造部を備えた家具４は、図６に図示されている。この図は、タイプ１とタイプ２の両方の調節アーム構造部を示す。レバー構造部５で収容された放出−支援装置８または緩衝装置１３の全体的な寸法は、実質的に同一であることが明示されている。一般的にタイプ１からタイプ２の調節アーム構造部に変換するには、緩衝装置１３と放出−支援装置８だけが交換されればよい。１以上の放出装置６は、家具本体１４の下方領域に提供できる。家具本体のほぼ中央下方領域に設置された中央放出装置６、または家具本体１４の側部下方領域のそれぞれの２つの放出装置６が好適である。フラップ３は、図６には図示されていない。その結果、フラップ３に接続できるフラップブラケット２７が明確に示されている。
【００３７】
家具フラップ３ａの下側で測定される作用力曲線は、主スプリング７、支援スプリング１２及び放出装置６の作用力の関係で図７から図１１にかけて示されている。これら図では、垂直座標軸は、前部下側３ａに作用する作用力をニュートンで表す。正のニュートン値は、閉方向ＳＲに作用する作用力Ｚを示し、負のニュートン値は、開方向ＯＲに作用する作用力Ａ及びＵを示す。閉じられたフラップ３の垂直位置から始まり、水平軸は、開角度αを示す。主スプリング７のロック力は、単独にて図７で示すロック力曲線Ｚによって示される。これより、約４０°の開角度αからロック力は、ほぼニュートラル状態であることが分る。よって家具フラップ３は、この開角度範囲において均衡状態に保たれる。開扉角度α１に存在する主スプリング７の特定ロック力は、矢印Ｚαにより約９ニュートンであることが示されている。この点に関しては、図１０が参考になる。ここでは、運動的に達成可能な実際のロック力ＺＩＳＴと、理論的に設定されたロック力ＺＳＯＬＬとが示される。これら２つのロック力値間の相違は、とりわけ慣性、摩擦、レバー伝達、等々によって具現する。
【００３８】
図１１では、図１０と同様に支援スプリング８の作用力ＵＩＳＴとＵＳＯＬＬが図示されている。この作用力Ｕは、開方向ＯＲに作用するときにのみ負のニュートン値を有する。設定された開作用力ＵＩＳＴは、レバー構造部５に取り付けられるとロック力Ｚに対抗して作用する。この作用は、特に図８で図示されている。そこでは支援スプリング８の作用力Ｕαは、点線で示す主スプリング７のロック力Ｚを相殺または低減させる。よって図８の曲線は、支援スプリング８と主スプリング７のみがタイプ２の調節アーム構造部に存在するなら、フラップ３の下側で測定される作用力Ｚ−Ｕを示す。すなわち図８によれば、支援スプリング８の作用力Ｕは、フラップ３を開かせるのに充分ではない。
【００３９】
しかし、図９によれば、この作用力Ｕは、放出力Ａと一緒になればロック力Ｚに打ち克つのに十分である。すなわち言い換えると、開角度α０（あるいは押し込み位置ＵＳ及び開角度α-１）における特定の測定作用力値Ｕα＋Ａαは、ロック力Ｚαよりも大きい。好適には、追加された作用力ＡとＵはロック力Ｚより、少なくとも角度α１０°まで大きい。家具フラップ３の容易に走行する開動作は、個別の付勢力の対応した一致により保証される。これは特に小さい負のニュートン値範囲にアレンジされた作用力曲線Ｚ−Ｕ−Ａから確認できる。従ってフラップの穏やかな開動作が可能になり、急激な開動作は防止される。
【００４０】
図１２は、タイプ１の調節アーム構造部を備えた家具４を示す。緩衝装置１３は、閉方向ＳＲに移動する家具フラップ３を緩衝する。緩衝装置１３のプッシャは、レバー１９と１０を介して付勢され、閉動作を遅くしている。タイプ１の調節アーム構造部は、図１３で閉位置にて示されている。
【００４１】
一方、図１４では、タイプ２の調節アーム構造部が閉位置で示されている。放出−支援装置８の付勢されたスプリング１２は、ここでは図示しない主スプリング７のロック力に自身では打ち克てないため、フラップ３の開方向ＯＲでの動作を可能にしている。図１５で示すように放出装置６は、家具本体に提供されている（レバーまたは固定プレート２６に取り付けることも可能）。これは家具フラップ３を開方向に放出する。このことはロック解除後に放出−支援装置８のスプリング１２を支援することで達成される。
【００４２】
図１６と図１７は、レバー２１と２２を示す。これらは、他の図面では別々であるがここでは一体的であり、主スプリング７のためのスプリング調節機構２３は、この一体型レバーに取り付けられている。
【００４３】
よって、調節アーム構造部、重いフラップを開くための調節アーム構造部、及び調節アーム構造部のセットを備えた家具が本発明によって提供される。特に、ユーザにとって持ち上げ式フラップを備えた家具の重いフラップの開作業が容易になるように設計されている。
【図１】
2013502517.tif 000003
【図２】
2013502517.tif 000004
【図３】
2013502517.tif 000005
【図４】
2013502517.tif 000006
【図５】
2013502517.tif 000007
【図６】
2013502517.tif 000008
【図７】
2013502517.tif 000009
【図８】
2013502517.tif 000010
【図９】
2013502517.tif 000011
【図１０】
2013502517.tif 000012
【図１１】
2013502517.tif 000013
【図１２】
2013502517.tif 000014
【図１３】
2013502517.tif 000015
【図１４】
2013502517.tif 000016
【図１５】
2013502517.tif 000017
【図１６】
2013502517.tif 000018
【図１７】
2013502517.tif 000019
【国際調査報告】
2013502517.tif 000020
2013502517.tif 000021
2013502517.tif 000022
2013502517.tif 000023